(57)【特許請求の範囲】
【請求項１】
パーソナルケア器具（１０）であって、
キャビティ（２４）を画定するハンドル（２０）と、
前記キャビティ内に位置する流体コネクタ（１００）と、
前記キャビティ内に位置し、前記流体コネクタから離間した脆弱なシール（３０）を有する流体リザーバ（２６）と、
前記ハンドルに装着されて前記キャビティを覆うカバー（２２）と、
前記脆弱なシールと前記流体コネクタとの間にある取り外し可能な障壁（２００）と、を備え、
前記取り外し可能な障壁（２００）の少なくとも一部が前記キャビティの外側に位置している、パーソナルケア器具。
【請求項２】
前記流体リザーバが、開口を画定する内壁（２８）を有する、請求項１に記載のパーソナルケア器具。
【請求項３】
前記流体コネクタが、前記流体リザーバの内壁と係合する少なくとも１つの突出部（１１０）を有する外壁（１０２）を有する、請求項２に記載のパーソナルケア器具。
【請求項４】
前記流体リザーバの前記内壁が、前記流体コネクタと係合する少なくとも１つの突出部（３６）を有する、請求項２に記載のパーソナルケア器具。
【請求項５】
前記流体リザーバに固定されたラベル（２２０）を更に備え、前記ラベルの少なくとも一部が前記ハンドルの外壁（２５）と前記カバーとの間の前記キャビティの外側に位置する、請求項１〜４のいずれか一項に記載のパーソナルケア器具。
【請求項６】
前記ラベルが熱収縮フィルムを含む、請求項５に記載のパーソナルケア器具。
【請求項７】
前記流体リザーバが、前記流体コネクタが前記脆弱なシールから離間した未実装位置と、前記流体コネクタが前記脆弱なシールを貫通して前記流体コネクタと前記流体リザーバとの間に流体連通を確立する実装位置と、を有する、請求項１〜６のいずれか一項に記載のパーソナルケア器具。
【請求項８】
パーソナル器具（１０）の製造方法であって、
ハンドル（２０）によって画定されるキャビティ（２４）内に位置する流体コネクタ（１００）を備えるハンドル（２０）を提供する工程と、
脆弱なシール（３０）を有する流体リザーバ（２６）を、少なくとも一部が前記ハンドルの前記キャビティの内側となるように配置する工程であって、前記流体リザーバの前記脆弱なシールが前記流体コネクタから離間している工程と、
前記ハンドルにカバー（２２）を装着する工程と、
前記カバーを前記ハンドルに固定して前記キャビティを隠蔽する工程と、
前記脆弱なシールと前記流体コネクタとの間に取り外し可能な障壁を配置する工程と、を含み、
前記取り外し可能な障壁（２００）の少なくとも一部が前記キャビティの外側に位置している、方法。
【請求項９】
前記ハンドルに流体分注カートリッジ（５０）を装着する工程を更に含み、前記流体分注カートリッジはシェービングかみそりカートリッジ（５４）を含む、請求項８に記載の方法。
【請求項１０】
前記取り外し可能な障壁の少なくとも一部が、前記ハンドルの外壁（２５）と、前記カバーが前記ハンドルに固定された後の前記カバーと、の間に配置される、請求項８に記載の方法。
【請求項１１】
前記流体リザーバにラベル（２２０）を取り外し可能に固定する工程を更に含み、前記ラベルの少なくとも一部が、前記ハンドルの外壁と、前記カバーが前記ハンドルに固定された後の前記カバーと、の間に配置される、請求項８〜１０のいずれか一項に記載の方法。
【請求項１２】
固定する工程が、前記ラベルの少なくとも一部を前記流体リザーバへ熱収縮させることを含む、請求項１１に記載の方法。
【発明の詳細な説明】
【技術分野】
【０００１】
本発明は、概して液体分注パーソナルケア器具に関し、より具体的には液体分注シェービングかみそりに関する。
【背景技術】
【０００２】
男性及び女性の容姿を改善又は高めるにあたり、スキンケアは特に重要となることがある。皮膚のケアのために、様々な製品及び方法を使うことができる。健康的な皮膚を保つために、例えば剥離スクラブ、洗浄剤、及びローションが使用されることがある。剥離スクラブは、皮膚の表面から角質細胞を取り除くために使うことができ、これによって皮膚の色合いを改善できる。石鹸及びその他の洗浄剤は、皮膚から汚れや余分の油分を除去するために使うことができ、これは毛穴の閉塞の防止を助けることができる。したがって、場合によっては、にきびやその他のタイプの吹出物を防ぐことができる。皮膚の見映え及び／又は健康を改善するための試みにおいて、皮膚に栄養物及び／又は保湿剤を送達するために、ローション及び様々なその他の局所軟膏類も使用することができる。皺やその他の老化の兆候を除去するための試みにおいて、その他のタイプの化粧品（例えばクリーム及びローション）又は活性薬剤が使われることがある。
【０００３】
シェービングプロセスは一般に、表面へのシェービング助剤（例えばシェービングクリーム）の塗布、及びかみそりアセンブリを用いた別工程でのひげそりを含む。シェービング助剤は多くの場合、シェービングプロセスを改善する少なくとも１つの適切な作用剤（例えば潤滑剤、抵抗減少剤、剃毛剤等）を含む。ほとんどの消費者は、この種の準備を、複数のシェービング製品、例えば、湿式シェービングかみそり及び皮膚前処理製品が必要であり、加えて、湿式シェービングプロセス中に望ましくない複数の塗布工程が必要なので、むしろ不便であると感じている。更に、このプロセスは汚くなり得、消費者はシェービングジェルを塗布した後に手を洗わなければならない。この複数工程のプロセスは更に、典型的な朝の衛生ルーチンとして行われるシェービングの経験を全体的に長時間にし、ほとんどの消費者はこれを好まない。しかしながら、シェービングの前に、最中に、又は後に、皮膚に別種の液体を塗布することが望まれる場合もある。特に、顔ひげを剃る男性の場合は、硬い顔ひげを適切に湿潤させて、より容易かつ緻密にシェービングできるようにするために、シェービング前に何らかのシェービング前処理を供給することが重要であることが分かっている。文献には、流体容器から流体（例えばシェービング助剤）を放出する組込み式分注ユニットを持つシェービングかみそりの提供が提案されている。しかしながら、これらのかみそりでは、消費者による容易で直観的に理解できる流体容器の交換及び／又は実装（例えば作動）が提供されない。
【発明の概要】
【課題を解決するための手段】
【０００４】
１つの態様では、本発明は概してキャビティを画定するハンドルを有するパーソナルケア器具を特徴とする。流体コネクタは、キャビティ内に位置する。流体リザーバは、キャビティ内に位置する。流体リザーバは、流体コネクタから離間した脆弱なシールを有する。カバーは、ハンドルに装着されてキャビティを覆っている。パーソナルケア器具は、開口部を画定する内壁を有する流体リザーバを任意に含んでよい。パーソナルケア器具はまた、流体リザーバの内壁と係合する少なくとも１つの突出部を有する外壁を有する流体コネクタを任意に含んでよい。パーソナルケア器具は、脆弱なシールと流体コネクタとの間に取り外し可能な障壁を任意に含んでよい。
【０００５】
別の態様では、本発明は、ハンドルによって画定されるキャビティ内に位置する流体コネクタを有するハンドルを提供することによる、概して液体分注パーソナルケア器具の製造方法を特徴とする。脆弱なシールを有する流体リザーバは、少なくとも一部がハンドルのキャビティ内に配置される。流体リザーバの脆弱なシールは、流体コネクタから離間されている。カバーはハンドルに装着され、カバーはハンドルに固定されてキャビティを隠している。本方法は、脆弱なシールと流体コネクタとの間への取り外し可能な障壁の配置を任意に含んでもよい。
【０００６】
本発明の１つ以上の実施形態の詳細を、添付図面及び以下の説明に示す。本発明の他の特徴及び利点は、説明及び図面、並びに特許請求の範囲から明らかになるであろう。
【図面の簡単な説明】
【０００７】
【図１Ａ】未実装位置におけるパーソナルケア器具の１つの可能な実施形態の正面図である。
【図１Ｂ】図１Ａのパーソナルケア器具の部分組立図である。
【図２】図１Ｂの線２−２に略沿ったパーソナルケア器具の断面図である。
【図３】図１Ａのパーソナルケア器具に組み込むことができる流体リザーバの１つの可能な実施形態の斜視図である。
【図４】図１Ａのパーソナルケア器具に組み込むことができるポンプアセンブリの１つの可能な実施形態の正面図である。
【図５】図１Ａのパーソナルケア器具の実装位置にある部分組立図である。
【図６】図５の線６−６に略沿ったパーソナルケア器具の断面図である。
【発明を実施するための形態】
【０００８】
本発明は湿式シェービングかみそりに限定されるものではなく、更にはかみそり一般に限定されるものでもない。本開示のある態様は、１つ以上の回転又は往復運動する刃を有する乾式の電動シェービングかみそりにも、あるいはその他のパーソナルケア器具（例えば歯ブラシ、剃毛アプリケータ、脱毛器、又は他の美容アプリケータ）にも使用できることが理解される。更に、本開示のある態様は、独立して液体塗布に使えることが理解される。
【０００９】
図１Ａを参照すると、本開示の１つの可能な実施形態であるパーソナルケア器具１０の正面図が示されている。例えば、パーソナルケア器具は、図示するような液体分注かみそり、歯ブラシ、マスカラブラシ、又は流体を分配するその他のいかなるパーソナルケア器具でもあり得る。以下に詳細を説明するように、パーソナルケア器具１０は、ポンプアセンブリ（図示せず）及び流体リザーバ（図示せず）を受容するように構成されたハンドル２０を含み得る。ハンドル２０は、ポンプ及び／又は流体リザーバをハンドル２０内に保護及び／又は隠すカバー２２を有してもよい。カバー２２は、ハンドル２０に装着され、取り外し可能に適所に固定されてもよい（例えばハンドル２０へのスナップ嵌め）。以下に詳細を説明するように、取り外し可能な障壁２００及び／又はラベル２２０が、ハンドル２０とカバー２２との間に配置されてもよい。ある実施形態では、取り外し可能な障壁２００及び／又はラベル２２０は、使用前に取り外されるフィルム（例えば薄いプラスチック片）を含んでもよい。液体分注カートリッジ５０を、ハンドル２０に取り外し可能に又は固定して装着してもよい。シェービングかみそりカートリッジ５４を液体分注カートリッジ５０の一端に枢動可能に装着してもよい。シェービングかみそりカートリッジ５４は、キャップ５６、キャップ５６の前のガード５８、及びキャップ５６とガード５８との間の１つ以上の刃６０を有してもよい。液体分注カートリッジ５０は、処理される表面（例えばひげ剃りされる表面）に１つ以上の流体を送達するための流体アプリケータ６２を含んでもよい。例えば、流体アプリケータ６２を、皮膚に対するパーソナルケア器具１０のストロークの最中に、処理される表面（例えば皮膚又は毛髪）に流体を塗布して広げるために、流体アプリケータ６２をシェービングかみそりカートリッジ５４に（例えばガード５８に）装着してもよい。
【００１０】
図１Ｂを参照すると、ハンドル２０からカバー２２を取り外した図１Ａのパーソナルケア器具の部分組立図が示されている。図１Ｂのパーソナルケア器具１０は、キャビティ２４内で未実装位置にある流体リザーバ２６とともに示されている。流体（例えばローション又はジェル）を、流体リザーバ２６内に保持することができる。流体リザーバが実装された（例えば流体リザーバと流体分注アプリケータ６２との間の流体連通が確立された）後に、流体リザーバ２６をハンドル２０内に永久的に保持してもよい。流体を使い切ったら、消費者は、パーソナルケア器具１０を処分してもよい。あるいは、流体を使い切った後に、流体リザーバ２６を取り外し交換してもよい。ハンドル２０は、流体リザーバ２６を受容するように構成されたキャビティ２４を画定することができる。ある実施形態では、流体リザーバ２６は、積層剥離ボトル又は小袋としてもよい。その他の実施形態では、流体リザーバ２６は、ブロー成形又は射出成形されたプラスチックボトルであってもよい。流体コネクタ１００が流体リザーバ２６に取り外し可能に係合して、流体リザーバ２６と流体アプリケータ６２との間に流体接続を確立させてもよい。流体コネクタ１００の外壁１０２は、流体リザーバ２６の内壁２８に対して封止して、ハンドル２０内への流体の漏出を防ぐことができる。流体コネクタ１００は、流体アプリケータ６２と流体リザーバ２６との間の流体接続を確立するために、流体リザーバ２６のシール（図示せず）に穴を開けるように構成された先端１０４を含んでもよい。ある実施形態では、先端１０４は、シールの貫通を容易にするために、傾斜している及び／又は角度がついていてもよい（例えばピラミッド形、円錐形）。
【００１１】
流体リザーバ２６は、未実装位置では流体コネクタ１００から離間していてもよい。ある実施形態では、流体コネクタ１００と流体リザーバ２６との早まった係合を防ぐために、取り外し可能な障壁２００の少なくとも一部が流体リザーバ２６と流体コネクタ１００との間に配置されてもよい。例えば、取り外し可能な障壁２００の一端は、流体リザーバ２６と流体コネクタ１００との間に配置されたキャップ２０２を含んでもよい。取り外し可能な障壁２００（例えばキャップ２０２）は、流体リザーバ２６及び流体コネクタ１００の両方又はその一方と直接又は間接に接触してもよい。取り外し可能な障壁２００の少なくとも一部は、ハンドル２０にカバー２２が装着される前に、キャビティ２４の外部に位置してよい。例えば、取り外し可能な障壁２００は、キャップ２０４から延びキャビティ２４の外部に位置するタブ２０４を含んでよい。カバー２２は、タブ２０２がカバーとハンドル２０の外壁２５との間に位置した状態で、ハンドル２０に装着及び／又は固定されてもよい。タブ２０４は、カバー２２を取り外し、流体リザーバ２６を実装して、流体リザーバ２６を作動させるように消費者に指示又は示してもよい。ある実施形態では、ラベル２２０の少なくとも一部を、流体リザーバ２６に取り外し可能に固定してよい。ラベル２２０も、カバー２２を取り外し、流体リザーバ２６を実装して、流体リザーバ２６を作動させるように消費者に指示又は示してもよい。ラベル２２０は、カバー２２を装着する前に、ハンドル２０の外壁２５とカバー２２との間に位置してもよい。次いで、カバー２２は、ラベル２２０がハンドル２０の外壁２５とカバー２２との間に位置した状態で、ハンドル２０に装着及び／又は固定されてもよい。ラベル２２０によって、流体リザーバ２６をキャビティ２４内の後部位置に保持することが容易となり、不注意によって流体コネクタ１００が流体連通を確立してしまうことを防ぐことができる。
【００１２】
図２を参照すると、理解しやすくするために取り外し可能な障壁２００及びラベル２２０をキャビティから取り除いたパーソナルケア器具１０の、図１Ｂにおける線２−２に略沿った断面が示されている。流体（例えばローション又はジェル）を、キャビティ２４内に位置する流体リザーバ２６に保持することができる。流体リザーバ２６は、流体リザーバ２６内に保持された流体の汚染（例えば細菌による）及び流体リザーバからの流体の漏出を防ぐために、脆弱なシール３０を有してもよい。流体リザーバ２６は、キャビティ２４の後部に向かって位置してもよい。未実装位置において、流体コネクタ１００は、脆弱なシール３０から離間していてもよい。例えば、ある実施形態では、流体コネクタ１００は、流体リザーバ２６の開口部３２内に位置してもよいが、脆弱なシール３０には接触していない。流体コネクタ１００及び／又は流体リザーバ２６は、流体コネクタ１００の先端１０４が不注意にも脆弱なシール３０に接触すること及び／又は脆弱なシール３０を貫通することを防ぐために、１つ以上の突出部を有してもよい。消費者は、カバー２２（図示せず）を取り外し流体リザーバを前方位置に滑らせて、流体コネクタ１００の先端１０４で脆弱なシール３０を貫通させ得る。流体コネクタ１００の外壁１０２と流体リザーバ２６の内壁２８との間の干渉に打ち勝つのに必要とされる力は、通常の輸送及び取扱い条件下で加わる力よりも大きくすることができる。
【００１３】
図３を参照すると、流体リザーバ２６の斜視図が示されている。流体リザーバの内壁２８は、流体連接コネクタ１００に係合する１つ以上の突出部３６（例えば環状リブ）を有してもよい。突出部３６は、流体リザーバ２６の不注意による実装を防ぐことができる。突出部３６は、いったん流体リザーバが実装されると（例えば脆弱なシール３０が破られると）、流体コネクタ１００をリザーバ２６内で保持するのを助けることもできる。ラベル２２０は、流体リザーバ２６に取り外し可能に固定されて示されている。ラベル２２０は、フィルム（例えば熱収縮フィルム）であり得る。例えば、ラベル２２０は、流体リザーバ２６の周囲に位置及び／又は固定されてよい。ラベル２２０は、接着剤によって又は熱収縮によって流体リザーバに固定されてよい。ある実施形態では、流体リザーバは、ラベル２２０を所定に保持するための溝３８を有してよい。その場合、熱を加えて、ラベル２２０を収縮させて流体リザーバ２６に固定することができる。加熱中に、ラベル２２０の一部を一対のプレート３００と３１０との間でクランプしてもよい。プレート３００及び３１０はヒートシンクとして作用して、ラベル２２０の少なくとも一部（例えばラベル２２０のハンドル２０の外に延在する部分）の収縮を防ぐことができる。
【００１４】
図４を参照すると、パーソナルケア器具１０に組み込まれ得るポンプアセンブリ７０の斜視図が示されている。流体コネクタ１００（例えば先端１０４）は、流体リザーバ２６（図示せず）の脆弱なシール３０に穴を開けて、流体アプリケータ６２（図示せず）と流体リザーバ２６との間の流体接続を確立することができる。したがって、流体は流体コネクタ１００の開口部１０６内に向けられ、これはポンプアセンブリ７０と流体連通している。ポンプアセンブリ７０は、流体をリザーバ２６から一対のバルブ（図示せず）を通して流体アプリケータ６２（図示せず）に送液する細長い弾性チューブ７２を含んでもよい。連接コネクタ部材１００の外壁１０２は、１つ以上の突出部１１０（例えば環状リブ）を有するバレル１０８を含んでもよい。突出部１１０は、流体リザーバ２６の不注意による実装（即ち、脆弱なシール３０に穴を開けてしまうこと）を防ぐことができる。突出部１１０は、いったん流体リザーバが実装されると、流体リザーバ２６内に流体コネクタ１００を保持するのを助けることもできる。ある実施形態では、連接コネクタ部材の突出部１１０及び流体リザーバ２６の突出部３６は、消費者に対して流体リザーバ２６が適切に実装されたことを知らせるフィードバックを提供することができる（例えば、連接コネクタ部材の突出部１１０及び流体リザーバ２６の突出部３６がスライドして互いを乗り越えるときに聞こえるクリック音によって）。
【００１５】
図５及び６を参照すると、流体リザーバ２６が実装位置にあるパーソナルケア器具１０が示されている。図５はパーソナルケア器具１０の部分組立正面図であり、流体リザーバ２６を示すためにカバー２２はハンドル２０から取り外されている。図６は、図５の線６−６に概沿ったハンドル２０の断面図である（カバー２２はハンドル２０に装着されている）。消費者は、取り外し可能な障壁２００及び／又はラベル２２０（図１Ａ及び１Ｂ参照）を取り除き、流体リザーバ２６を実装位置にスライドさせて前進させることができる。流体コネクタ１００は、流体リザーバ２６と係合して流体接続を確立することができる（例えば、流体コネクタ１００は、脆弱なシール３０を破ることができる）。したがって、流体は流体コネクタ１００の開口部１０６内に向かい、これはポンプアッセブリ７０及び流体アプリケータ６２と流体連通している。ポンプアセンブリ７０は、流体を、流体リザーバ２６から一対のバルブ７４及び７６を通して流体アプリケータ６２に送液する細長い弾性チューブ７２を含むことができる。流体コネクタ１００の外壁１０２は、流体リザーバ２６の内壁２８に対して封止して、ハンドル２０内への流体の漏出を防ぐことができる。
【００１６】
アクチュエータ１２（例えばボタン）によって、流体リザーバ２６から流体アプリケータ６２への流体の送液を容易にすることができる。例えば、アクチュエータ１２が弾性エラストマーチューブ７２を圧縮すると、バルブ７４が開き、あらかじめ定められた量の流体をアプリケータ６２に放出することができる。アクチュエータ１２を解放することで、弾性エラストマーチューブ７２をその非圧縮状態に戻すことができる。第１のバルブ７４が閉じて汚染を防ぎ、第２のバルブ７６が開いて弾性エラストマーチューブ７２をアクチュエータ１２による次の放出のための流体で満たすことができる。アクチュエータ１２は、流体コネクタ１００の枢動も容易にして、流体リザーバ２６の実装及び取り外しを改善することができる。
【００１７】
本明細書に開示した寸法及び値は、記載された正確な数値に厳密に限定されるものと理解されるべきではない。むしろ、特に断らないかぎり、そのような各寸法は、記載された値及びその値の周辺の機能的に同等の範囲の両方を意味するものとする。例えば「４０ｍｍ」と開示された寸法は「約４０ｍｍ」を意味することを意図している。更に、寸法は、典型的な製造の許容誤差による食い違いを考慮しない形而上の同一性の不可能に高い水準に固執されるべきではない。したがって、用語「約」は、典型的な製造の許容誤差の範囲内であることと解釈されるべきである。
【００１８】
任意の相互参照又は関連特許若しくは関連出願を含む本明細書に引用されるいかなる文献も、明確に除外ないしは別の方法で限定されない限り、その全てが本明細書中に参照により組み込まれる。いずれの文献の引用も、こうした文献が本願で開示又は特許請求される全ての発明に対する先行技術であることを容認するものではなく、あるいは、こうした文献が、単独で、又は他の任意の参照文献との組み合わせにおいて、こうした発明のいずれかを参照、教示、示唆又は開示していることを容認するものでもない。更に、本文書において、用語の任意の意味又は定義の範囲が、参照により組み込まれた文書中の同じ用語の任意の意味又は定義と矛盾する場合には、本文書中でその用語に割り当てられる意味又は定義に準拠するものとする。
【００１９】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１Ａ】
0005933745.tif 000002
【図１Ｂ】
0005933745.tif 000003
【図２】
0005933745.tif 000004
【図３】
0005933745.tif 000005
【図４】
0005933745.tif 000006
【図５】
0005933745.tif 000007
【図６】
0005933745.tif 000008